(57)【要約】【課題】  ユーザによって実施されるプレゼンテーションが円滑に行われることを可能にする資料画像情報出力装置および資料画像情報出力装置方法を提供する。【解決手段】  ＲＡＭ４は、複数の静止画像情報を格納する。制御部１３は、操作部９によって連続出力指示情報が受け付けられると、ＲＡＭ４に格納された複数の静止画像情報を連続的に出力し、また、操作部９によって静止画像出力指示情報が受け付けられると、ＲＡＭ４に格納された複数の静止画像情報の中の所望の１つを出力する。【選択図】      図１
2005303346.tif 000002
【特許請求の範囲】
【請求項１】
資料配置面に配置された資料を撮像し、その撮像された資料を示した画像情報を出力する資料画像情報出力装置であって、
前記資料配置面に配置された資料を撮像し、その撮像された資料を示した複数の静止画像情報を含む動画像情報を出力する撮像部と、
前記撮像部から出力された動画像情報に含まれる静止画像情報を格納する格納部と、
ユーザによって入力された、前記格納部に格納された複数の静止画像情報を連続的に出力する旨の連続出力指示情報および該格納部に格納された複数の静止画像情報の中の所望の１つを出力する旨の静止画像出力指示情報とを受け付ける入力部と、
前記入力部によって前記連続出力指示情報が受け付けられると、前記格納部に格納された複数の静止画像情報を連続的に出力し、該入力部によって前記静止画像出力指示情報が受け付けられると、該格納部に格納された複数の静止画像情報の中の所望の１つを出力する制御部とを含む資料画像情報出力装置。
【請求項２】
請求項１に記載の資料画像情報出力装置において、
前記入力部は、さらに、ユーザによって入力された、前記格納部に格納された複数の静止画像情報を繰り返し出力する旨の繰り返し出力指示情報を受け付け、
前記制御部は、さらに、前記入力部によって前記繰り返し出力指示情報が受け付けられると、前記格納部に格納された複数の静止画像情報を繰り返し出力する、資料画像情報出力装置。
【請求項３】
請求項１または２に記載の資料画像情報出力装置において、
前記制御部は、さらに、前記撮像部から出力された動画像情報に応じた画像および前記格納部に格納された静止画像情報に応じた画像とを含む１枚の画像を示した重ね合わせ画像情報を生成し、該重ね合わせ画像情報を出力する、資料画像情報出力装置。
【請求項４】
請求項１ないし３のいずれか１項に記載の資料画像情報出力装置において、
前記格納部は、さらに、前記撮像部から出力された動画像情報を格納し、
前記入力部は、さらに、ユーザによって入力された、前記格納部に格納された動画像情報を出力する旨の動画像出力指示情報を受け付け、
前記制御部は、さらに、前記入力部によって前記動画像出力指示情報が受け付けられると、前記格納部に格納された動画像情報を出力する、資料画像情報出力装置。
【請求項５】
請求項４に記載の資料画像情報出力装置において、
前記入力部は、さらに、ユーザによって入力された、前記格納部に格納された動画像情報を繰り返し出力する旨の動画像繰り返し出力指示情報を受け付け、
前記制御部は、さらに、前記入力部によって前記動画像繰り返し出力指示情報が受け付けられると、前記格納部に格納された動画像情報を繰り返し出力する、資料画像情報出力装置。
【請求項６】
請求項４または５に記載の資料画像情報出力装置において、
前記制御部は、さらに、前記撮像部から出力された動画像情報に応じた画像および前記格納部に格納された動画像情報に応じた画像とを含む１枚の画像を示した動画像重ね合わせ画像情報を生成し、該動画像重ね合わせ画像情報を出力する、資料画像情報出力装置。
【請求項７】
請求項１ないし６のいずれか１項に記載の資料画像情報出力装置において、
記録媒体を着脱可能な記録媒体着脱部をさらに含み、
前記制御部は、さらに、前記撮像部によって出力された動画像情報および該動画像情報に含まれる複数の静止画像情報を前記記録媒体着脱部を介して前記記録媒体に格納し、該記録媒体に格納された動画像情報および複数の静止画情報を前記記録媒体着脱部を介して前記格納部に格納する、資料画像情報出力装置。
【請求項８】
請求項１ないし６のいずれか１項に記載の資料画像情報出力装置において、
特定の情報が格納されている記録媒体を着脱可能な記録媒体着脱部をさらに含み、
前記制御部は、さらに、前記記録媒体に格納されている特定の情報を前記記録媒体着脱部を介して前記格納部に格納し、前記格納部に格納された特定の情報を出力する、資料画像情報出力装置。
【請求項９】
資料配置面に配置された資料を撮像し、その撮像された資料を示した画像情報を出力する資料画像情報出力装置が行う資料画像情報出力方法であって、
前記資料配置面に配置された資料を撮像し、その撮像された資料を示した複数の静止画像情報を含む動画像情報を出力する撮像ステップと、
前記撮像ステップで出力された動画像情報に含まれる静止画像情報を格納部に格納する格納ステップと、
ユーザによって入力された、前記格納部に格納された複数の静止画像情報を連続的に出力する旨の連続出力指示情報および該格納部に格納された複数の静止画像情報の中の所望の１つを出力する旨の静止画像出力指示情報とを受け付ける入力ステップと、
前記入力ステップで前記連続出力指示情報が受け付けられると、前記格納部に格納された複数の静止画像情報を連続的に出力し、該入力ステップで前記静止画像出力指示情報が受け付けられると、該格納部に格納された複数の静止画像情報の中の所望の１つを出力する制御ステップとを含む資料画像情報出力方法。
【請求項１０】
請求項９に記載の資料画像情報出力方法において、
前記入力ステップは、さらに、ユーザによって入力された、前記格納部に格納された複数の静止画像情報を繰り返し出力する旨の繰り返し出力指示情報を受け付け、
前記制御ステップは、さらに、前記入力ステップで前記繰り返し出力指示情報が受け付けられると、前記格納部に格納された複数の静止画像情報を繰り返し出力する、資料画像情報出力方法。
【請求項１１】
請求項９または１０に記載の資料画像情報出力方法において、
前記制御ステップは、さらに、前記撮像ステップで出力された動画像情報に応じた画像および前記格納部に格納された静止画像情報に応じた画像とを含む１枚の画像を示した重ね合わせ画像情報を生成し、該重ね合わせ画像情報を出力する、資料画像情報出力方法。
【請求項１２】
請求項９ないし１１のいずれか１項に記載の資料画像情報出力方法において、
前記格納ステップは、さらに、前記撮像ステップで出力された動画像情報を前記格納部に格納し、
前記入力ステップは、さらに、ユーザによって入力された、前記格納部に格納された動画像情報を出力する旨の動画像出力指示情報を受け付け、
前記制御ステップは、さらに、前記入力ステップで前記動画像出力指示情報が受け付けられると、前記格納部に格納された動画像情報を出力する、資料画像情報出力方法。
【請求項１３】
請求項１２に記載の資料画像情報出力方法において、
前記入力ステップは、さらに、ユーザによって入力された、前記格納部に格納された動画像情報を繰り返し出力する旨の動画像繰り返し出力指示情報を受け付け、
前記制御ステップは、さらに、前記入力ステップで前記動画像繰り返し出力指示情報が受け付けられると、前記格納部に格納された動画像情報を繰り返し出力する、資料画像情報出力方法。
【請求項１４】
請求項１２または１３に記載の資料画像情報出力方法において、
前記制御ステップは、さらに、前記撮像部から出力された動画像情報に応じた画像および前記格納部に格納された動画像情報に応じた画像とを含む１枚の画像を示した動画像重ね合わせ画像情報を生成し、該動画像重ね合わせ画像情報を出力する、資料画像情報出力方法。
【請求項１５】
請求項９ないし１４のいずれか１項に記載の資料画像情報出力方法において、
前記資料画像情報出力装置は、記録媒体を着脱可能な記録媒体着脱部を含み、
前記制御ステップは、さらに、前記撮像ステップで出力された動画像情報および該動画像情報に含まれる複数の静止画像情報を前記記録媒体着脱部を介して前記記録媒体に格納し、該記録媒体に格納された動画像情報および複数の静止画情報を前記記録媒体着脱部を介して前記格納部に格納する、資料画像情報出力方法。
【請求項１６】
請求項９ないし１４のいずれか１項に記載の資料画像情報出力方法において、
前記資料画像情報出力装置は、特定の情報が格納されている記録媒体を着脱可能な記録媒体着脱部を含み、
前記制御ステップは、さらに、前記記録媒体に格納されている特定の情報を前記記録媒体着脱部を介して前記格納部に格納し、前記格納部に格納された特定の情報を出力する、資料画像情報出力方法。
【発明の詳細な説明】
【技術分野】
【０００１】
本発明は、資料画像情報出力装置および資料画像情報出力方法に関し、特には、資料配置面に載せられた、平面原稿、立体物またはスライドフィルムなどの資料を撮像部で撮像し、その撮像部の出力をプロジェクタまたはモニタテレビション等の表示用装置に出力する資料画像情報出力装置および資料画像情報出力方法に関する。
【背景技術】
【０００２】
近年、例えば、会議、学会または展示会においてプレゼンテーションが行われる際には、プレゼンテーション用ツールとして、撮像用ステージ上の資料を撮像部で撮像し、その撮像部の出力をプロジェクタまたはモニタテレビション等の表示用装置に出力する資料画像情報出力装置が広く用いられている。
【０００３】
特許文献１（特開２００２−３５１６１１号公報）には、撮像用ステージ上の資料を撮像する撮像部と、その撮像部が出力した画像データを記憶する記憶手段とを含む資料画像情報出力装置が記載されている。
【０００４】
ユーザは、資料画像情報出力装置とその資料画像情報出力装置から出力される画像情報に応じた表示を行う表示用装置とを用いてプレゼンテーションを行う場合、例えば、資料画像情報出力装置を以下のように操作していた。
【０００５】
ユーザは、プレゼンテーションの実施前に資料画像情報出力装置内の記憶手段にプレゼンテーションで使用する複数枚の静止画をあらかじめ保存しておく。プレゼンテーションが実施されると、ユーザは、説明手順に基づいて資料画像情報出力装置を操作して、表示用装置の表示を、資料画像情報出力装置の撮影部によって撮影された資料の画像にしたり、資料画像情報出力装置の記憶手段に保存しておいた複数枚の静止画にしたりする。
【０００６】
立体物の資料のプレゼンテーションを行うときには、例えば、ユーザは事前に立体物の資料の正面および斜め上面の静止画を資料画像情報出力装置の記憶手段に保存しておき、プレゼンテーション時に、ユーザは、説明手順に基づいて資料画像情報出力装置を操作して、資料画像情報出力装置の記憶手段に保存した立体物の資料の静止画を所望のタイミングで表示用装置に表示させていた。
【０００７】
なお、従来の資料画像情報出力装置は、静止画の切り換えを１枚単位でしか行えなかった。
【特許文献１】特開２００２−３５１６１１号公報
【発明の開示】
【発明が解決しようとする課題】
【０００８】
従来の資料画像情報出力装置は、静止画の切り換えを１枚単位でしか行えなかった。この場合、プレゼンテーションを行うユーザが静止画を１枚ずつ切り換えてプレゼンテーションを行う際には、大きな問題は生じなかった。
【０００９】
しかしながら、プレゼンテーションを行うユーザが資料画像情報出力装置の記憶手段に保存されている複数枚の静止画を連続的に切り換えてプレゼンテーションを行う際には、静止画を１枚ずつ切り換える操作を繰り返し行わなければならない。したがって、静止画を１枚ずつ切り換える操作を実行することにより、プレゼンテーション時の口頭での説明が行いにくくなる状況が発生するという問題が生じてしまう。
【００１０】
例えば、プレゼンテーションの場で昆虫の動きを示したいときに、昆虫の動きを示す複数の静止画を資料画像情報出力装置の記憶手段にあらかじめ保存しておき、それら複数枚の静止画を連続的に切り換えながら表示用装置に表示させる場合、静止画を１枚ずつ切り換える操作を実行しながら口頭での説明を行なわなければならず、口頭での説明に集中することができなくなるという問題が生じてしまう。
【００１１】
また、例えば、立体物等の資料の実物をプレゼンテーションする場合には、ユーザは、資料画像情報出力装置にその資料をいろいろな角度で撮影されて説明を行わなければならないため、上記の問題点はさらに大きなものとなる。
【００１２】
また、資料に関連する文面またはデータをパソコン上で作成し、その文面またはデータを表示用装置に表示させることがある。この場合、表示用装置の表示画面は、パソコンの画面表示または資料画像情報出力装置の撮像部によって撮像された資料の映像のいずれかが選択される構成であり、両者を１つの表示画面に同時に表示することはできなかった。説明の内容によってはパソコンの画面表示または資料画像情報出力装置の撮像部によって撮像された資料の映像を同時に表示させることが望ましいこともあり、従来、このような表示を行なうことはできなかった。この問題は、資料画像情報出力装置の記憶手段にあらかじめ保存しておいた画像が表示用装置によって表示される際にも生じる。
【００１３】
本発明の目的は、ユーザによって実施されるプレゼンテーションが円滑に行われることを可能にする資料画像情報出力装置および資料画像情報出力装置方法を提供することである。
【課題を解決するための手段】
【００１４】
上記の目的を達成するために、本発明の資料画像情報出力装置は、資料配置面に配置された資料を撮像し、その撮像された資料を示した画像情報を出力する資料画像情報出力装置であって、前記資料配置面に配置された資料を撮像し、その撮像された資料を示した複数の静止画像情報を含む動画像情報を出力する撮像部と、前記撮像部から出力された動画像情報に含まれる静止画像情報を格納する格納部と、ユーザによって入力された、前記格納部に格納された複数の静止画像情報を連続的に出力する旨の連続出力指示情報および該格納部に格納された複数の静止画像情報の中の所望の１つを出力する旨の静止画像出力指示情報とを受け付ける入力部と、前記入力部によって前記連続出力指示情報が受け付けられると、前記格納部に格納された複数の静止画像情報を連続的に出力し、該入力部によって前記静止画像出力指示情報が受け付けられると、該格納部に格納された複数の静止画像情報の中の所望の１つを出力する制御部とを含む。
【００１５】
また、本発明の資料画像情報出力方法は、資料配置面に配置された資料を撮像し、その撮像された資料を示した画像情報を出力する資料画像情報出力装置が行う資料画像情報出力方法であって、前記資料配置面に配置された資料を撮像し、その撮像された資料を示した複数の静止画像情報を含む動画像情報を出力する撮像ステップと、前記撮像ステップで出力された動画像情報に含まれる静止画像情報を格納部に格納する格納ステップと、ユーザによって入力された、前記格納部に格納された複数の静止画像情報を連続的に出力する旨の連続出力指示情報および該格納部に格納された複数の静止画像情報の中の所望の１つを出力する旨の静止画像出力指示情報とを受け付ける入力ステップと、前記入力ステップで前記連続出力指示情報が受け付けられると、前記格納部に格納された複数の静止画像情報を連続的に出力し、該入力ステップで前記静止画像出力指示情報が受け付けられると、該格納部に格納された複数の静止画像情報の中の所望の１つを出力する制御ステップとを含む。
【００１６】
上記の発明によれば、ユーザによって入力された連続出力指示情報が受け付けられると、格納部に格納された複数の静止画像情報が連続的に出力され、ユーザによって入力された静止画像出力指示情報が受け付けられると、格納部に格納された複数の静止画像情報の中の所望の１つが出力される。このため、ユーザは、プレゼンテーションの説明手順に応じて、格納部に格納された複数の静止画像情報が連続的に出力されるように、および、格納部に格納された複数の静止画像情報の中の１つが出力されるように設定することが可能になる。
【００１７】
したがって、ユーザは、例えば、格納部に格納されている複数枚の静止画を連続的に切り換えて表示用装置に表示させる場合、ユーザは、連続出力指示情報を入力することにより、静止画を１枚ずつ切り換えるという煩わしい操作を行わなくて済むようになる。また、ユーザは、静止画像出力指示情報を入力することにより、格納部に格納されている複数枚の静止画の中の所望の１枚だけを表示用装置に表示させることが可能になる。よって、上記の発明によれば、ユーザによって実施されるプレゼンテーションをユーザの意図に合わせて円滑に行わせることが可能となる。
【００１８】
また、上記資料画像情報出力装置において、前記入力部は、さらに、ユーザによって入力された、前記格納部に格納された複数の静止画像情報を繰り返し出力する旨の繰り返し出力指示情報を受け付け、前記制御部は、さらに、前記入力部によって前記繰り返し出力指示情報が受け付けられると、前記格納部に格納された複数の静止画像情報を繰り返し出力することが望ましい。
【００１９】
また、上記資料画像情報出力方法において、前記入力ステップは、さらに、ユーザによって入力された、前記格納部に格納された複数の静止画像情報を繰り返し出力する旨の繰り返し出力指示情報を受け付け、前記制御ステップは、さらに、前記入力ステップで前記繰り返し出力指示情報が受け付けられると、前記格納部に格納された複数の静止画像情報を繰り返し出力することが望ましい。
【００２０】
上記の発明によれば、ユーザによって入力された繰り返し出力指示情報が受け付けられると、格納部に格納された複数の静止画像情報が繰り返して出力される。このため、ユーザは、プレゼンテーションの説明手順に応じて、格納部に格納された複数の静止画像情報が繰り返して出力されるように設定することが可能になる。よって、静止画像を１画面単位で切り換える場合に比べて、ユーザによって実施されるプレゼンテーションを円滑に行わせることが可能となる。
【００２１】
また、上記資料画像情報出力装置において、前記制御部は、さらに、前記撮像部から出力された動画像情報に応じた画像および前記格納部に格納された静止画像情報に応じた画像とを含む１枚の画像を示した重ね合わせ画像情報を生成し、該重ね合わせ画像情報を出力することが望ましい。
【００２２】
また、上記資料画像情報出力方法において、前記制御ステップは、さらに、前記撮像ステップで出力された動画像情報に応じた画像および前記格納部に格納された静止画像情報に応じた画像とを含む１枚の画像を示した重ね合わせ画像情報を生成し、該重ね合わせ画像情報を出力することが望ましい。
【００２３】
上記の発明によれば、撮像部から出力された動画像情報に応じた画像および格納部に格納された静止画像情報に応じた画像とを含む１枚の画像を示した重ね合わせ画像情報が生成され、その重ね合わせ画像情報が出力される。このため、１枚の画面に複数の画像が含まれ、効果的なプレゼンテーション画面を作成することが可能となる。
【００２４】
また、上記資料画像情報出力装置において、前記格納部は、さらに、前記撮像部から出力された動画像情報を格納し、前記入力部は、さらに、ユーザによって入力された、前記格納部に格納された動画像情報を出力する旨の動画像出力指示情報を受け付け、前記制御部は、さらに、前記入力部によって前記動画像出力指示情報が受け付けられると、前記格納部に格納された動画像情報を出力することが望ましい。
【００２５】
また、上記資料画像情報出力方法において、前記格納ステップは、さらに、前記撮像ステップで出力された動画像情報を前記格納部に格納し、前記入力ステップは、さらに、ユーザによって入力された、前記格納部に格納された動画像情報を出力する旨の動画像出力指示情報を受け付け、前記制御ステップは、さらに、前記入力ステップで前記動画像出力指示情報が受け付けられると、前記格納部に格納された動画像情報を出力することが望ましい。
【００２６】
上記の発明によれば、撮像部から出力された動画像情報が格納部に格納され、ユーザによって入力された動画像出力指示情報が受け付けられると、格納部に格納された動画像情報が出力される。このため、ユーザは、プレゼンテーションの説明手順に応じて、格納部に格納された動画像情報が出力されるように設定することが可能になる。
【００２７】
また、上記資料画像情報出力装置において、前記入力部は、さらに、ユーザによって入力された、前記格納部に格納された動画像情報を繰り返し出力する旨の動画像繰り返し出力指示情報を受け付け、前記制御部は、さらに、前記入力部によって前記動画像繰り返し出力指示情報が受け付けられると、前記格納部に格納された動画像情報を繰り返し出力することが望ましい。
【００２８】
また、上記資料画像情報出力方法において、前記入力ステップは、さらに、ユーザによって入力された、前記格納部に格納された動画像情報を繰り返し出力する旨の動画像繰り返し出力指示情報を受け付け、前記制御ステップは、さらに、前記入力ステップで前記動画像繰り返し出力指示情報が受け付けられると、前記格納部に格納された動画像情報を繰り返し出力することが望ましい。
【００２９】
上記の発明によれば、ユーザによって入力された動画像繰り返し出力指示情報が受け付けられると、格納部に格納された動画像情報が繰り返して出力される。このため、ユーザは、プレゼンテーションの説明手順に応じて、格納部に格納された動画像情報が繰り返して出力されるように設定することが可能になる。
【００３０】
また、上記資料画像情報出力装置において、前記制御部は、さらに、前記撮像部から出力された動画像情報に応じた画像および前記格納部に格納された動画像情報に応じた画像とを含む１枚の画像を示した動画像重ね合わせ画像情報を生成し、該動画像重ね合わせ画像情報を出力することが望ましい。
【００３１】
また、上記資料画像情報出力方法において、前記制御ステップは、さらに、前記撮像部から出力された動画像情報に応じた画像および前記格納部に格納された動画像情報に応じた画像とを含む１枚の画像を示した動画像重ね合わせ画像情報を生成し、該動画像重ね合わせ画像情報を出力することが望ましい。
【００３２】
上記の発明によれば、撮像部から出力された動画像情報に応じた画像および格納部に格納された動画像情報に応じた画像とを含む１枚の画像を示した動画像重ね合わせ画像情報が生成され、その動画像重ね合わせ画像情報が出力される。このため、１枚の画面に複数の画像が含まれ、効果的なプレゼンテーション画面を作成することが可能となる。
【００３３】
また、上記資料画像情報出力装置において、記録媒体を着脱可能な記録媒体着脱部をさらに含み、前記制御部は、さらに、前記撮像部によって出力された動画像情報および該動画像情報に含まれる複数の静止画像情報を前記記録媒体着脱部を介して前記記録媒体に格納し、該記録媒体に格納された動画像情報および複数の静止画情報を前記記録媒体着脱部を介して前記格納部に格納することが望ましい。
【００３４】
また、上記資料画像情報出力方法において、前記資料画像情報出力装置は、記録媒体を着脱可能な記録媒体着脱部を含み、前記制御ステップは、さらに、前記撮像ステップで出力された動画像情報および該動画像情報に含まれる複数の静止画像情報を前記記録媒体着脱部を介して前記記録媒体に格納し、該記録媒体に格納された動画像情報および複数の静止画情報を前記記録媒体着脱部を介して前記格納部に格納することが望ましい。
【００３５】
上記の発明によれば、撮像部によって出力された動画像情報およびその動画像情報に含まれる複数の静止画像情報が記録媒体着脱部を介して記録媒体に格納され、その記録媒体に格納された動画像情報および複数の静止画情報が記録媒体着脱部を介して格納部に格納される。このため、記録媒体着脱部に着脱可能な記録媒体を用いた画像情報出力が可能となる。
【００３６】
また、上記資料画像情報出力装置において、特定の情報が格納されている記録媒体を着脱可能な記録媒体着脱部をさらに含み、前記制御部は、さらに、前記記録媒体に格納されている特定の情報を前記記録媒体着脱部を介して前記格納部に格納し、前記格納部に格納された特定の情報を出力することが望ましい。
【００３７】
また、上記資料画像情報出力方法において、前記資料画像情報出力装置は、特定の情報が格納されている記録媒体を着脱可能な記録媒体着脱部を含み、前記制御ステップは、さらに、前記記録媒体に格納されている特定の情報を前記記録媒体着脱部を介して前記格納部に格納し、前記格納部に格納された特定の情報を出力することが望ましい。
【００３８】
上記の発明によれば、記録媒体に格納されている特定の情報が記録媒体着脱部を介して格納部に格納され、格納部に格納された特定の情報が出力される。このため、撮像部によって出力された画像情報と異なる情報を出力することが可能となり、効果的なプレゼンテーション画面を作成することが可能となる。
【発明の効果】
【００３９】
本発明によれば、ユーザによって入力された連続出力指示情報が受け付けられると、格納部に格納された複数の静止画像情報が連続的に出力され、ユーザによって入力された静止画像出力指示情報が受け付けられると、格納部に格納された複数の静止画像情報の中の１つが出力される。このため、ユーザは、プレゼンテーションの説明手順に応じて、格納部に格納された複数の静止画像情報が連続的に出力されるように、または格納部に格納された複数の静止画像情報の中の１つが出力されるように設定することが可能になる。
【００４０】
したがって、ユーザは、例えば、格納部に格納されている複数枚の静止画を連続的に切り換えて表示用装置に表示させる場合、静止画を１枚ずつ切り換える操作を行う必要がなくなる。よって、上記の発明によれば、ユーザによって実施されるプレゼンテーションを円滑に行わせることが可能となる。
【発明を実施するための最良の形態】
【００４１】
以下に図面を参照して本発明の実施例について説明する。
【００４２】
図１は本発明の実施例の資料画像情報出力装置としての資料提示装置１００を示したブロック図である。
【００４３】
図１において、資料提示装置１００は、ＣＣＤ撮像部１と、Ａ／Ｄ変換器２と、画像処理部３と、ＲＡＭ４と、周波数変換部５と、Ｄ／Ａ変換器６と、ＣＰＵ７と、ＲＯＭ８と、操作部９と、メモリスロット１０と、出力端子１１と、資料配置台１２とを含む。なお、Ａ／Ｄ変換器２と、画像処理部３と、周波数変換部５と、Ｄ／Ａ変換器６と、ＣＰＵ７およびＲＯＭ８とは、制御部１３に含まれる。
【００４４】
撮像部としてのＣＣＤ撮像部１は、資料配置台１２の資料配置面１２ａに配置された資料１５を撮像し、その撮像された資料１５を示した複数の静止画像情報を含む動画像情報を出力する。ＣＣＤ撮像部１は、アナログ信号の動画像情報を出力する。なお、撮像部は、ＣＣＤ撮像部に限るものではなく適宜変更可能である。
【００４５】
格納部としてのＲＡＭ４は、ＣＣＤ撮像部１から出力された動画像情報に含まれる静止画像情報を制御部１３を介して格納する。なお、ＲＡＭ４は、静止画像情報のぞれぞれに保存番号を付けて格納する。本実施例では、保存番号として、１から始まり１ずつ増えていく通し番号を用いる。例えば、ＲＡＭ４は、最初に格納する静止画像情報に保存番号「１」を付け、次に格納する静止画像情報に保存番号「２」を付ける。また、ＲＡＭ４は、ＣＣＤ撮像部１から出力された動画像情報を制御部１３を介して格納する。なお、格納部は、ＲＡＭに限らず適宜変更可能である。
【００４６】
入力部としての操作部９は、例えばキー入力部であり、ユーザによって操作される。操作部９は、ユーザの操作によって特定される情報を受け付ける。
【００４７】
例えば、操作部９は、ユーザ（例えば、資料提示装置１００と、資料提示装置１００の出力端子１１から出力される画像情報に応じた表示を行う表示用装置（不図示）とを用いてプレゼンテーションを行うユーザ）によって入力された、ＲＡＭ４に格納された複数の静止画像情報を連続的に出力する旨の連続出力指示情報を受け付ける。また、操作部９は、ユーザによって入力された、ＲＡＭ４に格納された複数の静止画像情報の中の所望の１つを出力する旨の静止画像出力指示情報とを受け付ける。また、操作部９は、ＲＡＭ４に格納された複数の静止画像情報を繰り返し出力する旨の繰り返し出力指示情報を受け付ける。
【００４８】
また、操作部９は、ユーザによって入力された、ＲＡＭ４に格納された動画像情報を繰り返し出力する旨の動画像繰り返し出力指示情報を受け付ける。また、操作部９は、ユーザによって入力された、ＲＡＭ４に格納された動画像情報を出力する旨の動画像出力指示情報を受け付ける。
【００４９】
制御部１３は、ＣＣＤ撮像部１から出力された動画像情報を出力端子１１に出力する。また、制御部１３は、ＲＡＭ４に格納された静止画像情報または動画像情報を読み出し、読み出した静止画像情報または動画像情報を出力端子１１に出力する。また、制御部１３は、メモリスロット１０に装着されたメモリカード１４に格納されている各種のデータを出力端子１１に出力する。
【００５０】
例えば、制御部１３は、操作部９によって連続出力指示情報が受け付けられると、ＲＡＭ４に格納された複数の静止画像情報を連続的に出力端子１１に出力する。また、制御部１３は、操作部９によって静止画像出力指示情報が受け付けられると、ＲＡＭ４に格納された複数の静止画像情報の中の所望の１つを出力端子１１に出力する。また、制御部１３は、操作部９によって繰り返し出力指示情報が受け付けられると、出力端子１１に対して、ＲＡＭ４に格納された複数の静止画像情報を繰り返し出力する。また、制御部１３は、操作部９によって動画像出力指示情報が受け付けられると、出力端子１１に対して、ＲＡＭ４に格納された動画像情報を１回だけ出力する。また、制御部１３は、操作部９によって動画像繰り返し出力指示情報が受け付けられると、出力端子１１に対して、ＲＡＭ４に格納された動画像情報を繰り返し出力する。
【００５１】
また、制御部１３は、ＣＣＤ撮像部１から出力された動画像情報に応じた画像およびＲＡＭ４に格納された静止画像情報に応じた画像とを含む１枚の画像を示した重ね合わせ画像情報を生成する。制御部１３は、その生成した重ね合わせ画像情報を出力端子１１に出力する。
【００５２】
また、制御部１３は、ＣＣＤ撮像部１から出力された動画像情報に応じた画像およびＲＡＭ４に格納された動画像情報に応じた画像とを含む１枚の画像を示した重ね合わせ画像情報（動画像重ね合わせ画像情報）を生成する。制御部１３は、その生成した重ね合わせ画像情報を出力端子１１に出力する。
【００５３】
また、制御部１３は、ＣＣＤ撮像部１によって出力された動画像情報およびその動画像情報に含まれる複数の静止画像情報をメモリスロット１０を介してメモリスロット１０に装着されたメモリカード１４に格納する。
【００５４】
また、制御部１３は、メモリカード１４に格納された特定の情報（例えば、動画像情報、複数の静止画情報または資料１５の説明した説明文を示したテキスト情報）をメモリスロット１０を介してＲＡＭ４に格納する。制御部１３は、メモリスロット１０に装着されたメモリカード１４に格納されている特定の情報をメモリスロット１０を介してＲＡＭ４に格納し、ＲＡＭ４に格納された特定の情報を出力端子１１に出力する。
【００５５】
Ａ／Ｄ変換器２は、ＣＣＤ撮像部１から出力されたアナログ信号の動画像情報をデジタル信号の動画像情報に変換する。
【００５６】
画像処理部３は、ＣＰＵ７の制御に基づいて種々の動作を実行する。画像処理部３は、ＣＰＵ７の制御に基づいて、例えば、以下に示す動作を実行する。
【００５７】
画像処理部３は、Ａ／Ｄ変換部２によってデジタル信号に変換された動画像情報に対して、圧縮または伸長等の所定の画像処理を行う。
【００５８】
また、画像処理部３は、Ａ／Ｄ変換部２によってデジタル信号に変換された動画像情報およびその動画像情報に含まれる複数の静止画像情報のそれぞれをＲＡＭ４に格納する。なお、画像処理部３は、複数の静止画像情報のそれぞれをＲＡＭ４に格納する際、複数の静止画像情報のそれぞれに保存番号（本実施例では、１から始まり１ずつ増えていく通し番号）を付す。画像処理部３は、保存番号が付された静止画像情報をＲＡＭ４に格納する。
【００５９】
画像処理部３は、ＲＡＭ４に格納した静止画像情報の数をＲＡＭ４に格納した静止画の枚数としてＣＰＵ７に供給する。画像処理部３は、例えば、複数の静止画像情報のそれぞれに付した保存番号をＣＰＵ７に供給する。
【００６０】
ＣＰＵ７にはＲＡＭ４に格納できる静止画像情報の最大数が予め格納されている。よって、ＣＰＵ７は、複数の静止画像情報のそれぞれに付した保存番号とＲＡＭ４に格納できる静止画像情報の最大数とに基づいて、ＲＡＭ４にさらに格納することが可能な静止画の枚数を求めることができる。
【００６１】
例えば、ＲＡＭ４に静止画を２４枚保存できる場合、ＣＰＵ７は画像処理部３から供給された保存番号が２４に達しているか否かにより、ＲＡＭ４にさらに格納することが可能な静止画の枚数、つまりＲＡＭ４の空き容量を管理する。
【００６２】
また、画像処理部３は、Ａ／Ｄ変換器２から供給された動画像情報、ＲＡＭ４に格納された動画像情報、ＲＡＭ４に格納された静止画像情報およびＲＡＭ４に格納された特定の情報を周波数変換部５に供給する。
【００６３】
また、画像処理部３は、Ａ／Ｄ変換器２から供給された動画像情報に応じた画像およびＲＡＭ４に格納された静止画像情報に応じた画像とを含む１枚の画像を示した重ね合わせ画像情報を生成する。画像処理部３は、その生成した重ね合わせ画像情報を周波数変換部５に供給する。
【００６４】
また、画像処理部３は、Ａ／Ｄ変換器２から供給された動画像情報に応じた画像およびＲＡＭ４に格納された動画像情報に応じた画像とを含む１枚の画像を示した重ね合わせ画像情報（動画像重ね合わせ画像情報）を生成する。画像処理部３は、その生成した重ね合わせ画像情報を周波数変換部５に供給する。
【００６５】
また、画像処理部３は、Ａ／Ｄ変換器２から供給された動画像情報に応じた画像およびＲＡＭ４に格納された特定の情報に応じた画像とを含む１枚の画像を示した重ね合わせ画像情報（特定画像重ね合わせ画像情報）を生成する。画像処理部３は、その生成した重ね合わせ画像情報（特定画像重ね合わせ画像情報）を周波数変換部５に供給する。
【００６６】
周波数変換部５は、ＣＰＵ７の制御に基づいて、画像処理部３から供給された画像情報の周波数を変換する。具体的には、周波数変換部５は、画像処理部３から供給された画像情報の周波数を、ＣＰＵ７の制御に基づいて、出力端子１１に接続された表示用装置に適応した周波数に変更する。
【００６７】
Ｄ／Ａ変換部６は、周波数変換部５の出力をアナログ信号に変換し、アナログ信号に変換した周波数変換部５の出力を出力端子１１に出力する。
【００６８】
出力端子１１は、制御部１３から供給された画像情報（例えば、静止画像情報、動画像情報、重ね合わせ画像情報または特定の情報に応じた画像）をプロジェクタまたはモニタテレビション等の表示用装置に出力する。
【００６９】
コンピュータとしてのＣＰＵ７は、コンピュータによって読み取り可能な記録媒体としてのＲＯＭ８に記録されているプログラムを読み取り、読み取ったプログラムを実行することにより種々の動作を行う。
【００７０】
例えば、制御回路としてのＣＰＵ７は、操作部９によって連続出力指示情報が受け付けられると、ＲＡＭ４に格納された複数の静止画像情報を連続的に出力させる処理を画像処理部３に実行させる。
【００７１】
また、ＣＰＵ７は、操作部９によって静止画像出力指示情報が受け付けられると、ＲＡＭ４に格納された複数の静止画像情報の中の所望の１つを出力させる処理を画像処理部３に実行させる。
【００７２】
また、ＣＰＵ７は、操作部９によって繰り返し出力指示情報が受け付けられると、ＲＡＭ４に格納された複数の静止画像情報を繰り返し出力させる処理を画像処理部３に実行させる。
【００７３】
また、ＣＰＵ７は、操作部９によって動画像出力指示情報が受け付けられると、ＲＡＭ４に格納された動画像情報を１回だけ出力させる処理を画像処理部３に実行させる。
【００７４】
また、ＣＰＵ７は、操作部９によって動画像繰り返し出力指示情報が受け付けられると、ＲＡＭ４に格納された動画像情報を繰り返し出力させる処理を画像処理部３に実行させる。
【００７５】
記録媒体着脱部としてのメモリスロット１０は、記録媒体としてのメモリカード１４を着脱可能である。メモリスロット１０は、ＣＰＵ７の制御に基づいて、ＲＡＭ４に格納されている画像情報を自己に装着されたメモリカード１４に格納したり、自己に装着されたメモリカード１４に格納されている特定の情報（例えば、静止画像情報、動画像情報または各種データ）を読み込み、その読み込んだ特定の情報をＣＰＵ７に供給したりする。なお、記録媒体はメモリカードに限るものではなく適宜変更可能である。また、記録媒体着脱部もメモリスロットに限るものではなく記録媒体の種類に応じて適宜変更可能である。
【００７６】
次に動作を説明する。
【００７７】
図２は、ＲＡＭ４に格納した静止画の再生時の動作を説明するためのフローチャートである。
【００７８】
以下、図２を参照して、ＲＡＭ４に格納した静止画の再生時の動作を説明する。なお、ＲＡＭ４には、複数の静止画像情報が格納されているものとする。
【００７９】
ステップ２１では、操作部９は、ユーザによって入力された「再生設定」を受け付ける。操作部９は、その受け付けた「再生設定」をＣＰＵ７に供給する。なお、ステップ２１で操作部９が受け付ける「再生設定」は、連続出力指示情報、静止画像出力指示情報または繰り返し出力指示情報のいずれかである。
【００８０】
また、操作部９は、ステップ２１で連続出力指示情報または繰り返し出力指示情報を受け付けた際、さらに、ユーザによって入力された、静止画像と静止画像との再生時間間隔（以下「再生間隔」と称する。）および静止画像の再生方向（保存番号の昇順または降順）を受け付ける。操作部９は、その受け付けた再生間隔および再生方向をＣＰＵ７に供給する。本実施例では、ユーザが再生間隔を設定することが可能であるため、ＲＡＭ４に格納された複数の静止画像情報を連続的に再生する際に、最も効果があるように再生間隔を設定することが可能となる。
【００８１】
ステップ２２では、操作部９は、ユーザによって入力された「再生初期番号」を受け付ける。なお、ステップ２２で操作部９が受け付ける「再生初期番号」は、ＲＡＭ４に格納されている静止画像情報に付与されている保存番号である。つまり、ユーザは、ＲＡＭ４に格納されている静止画像情報を再生する際に、最初に表示したい静止画像情報を、その静止画像情報に付与された保存番号を指定することによって設定する。
【００８２】
操作部９は、その受け付けた「再生初期番号」つまり保存番号をＣＰＵ７に供給する。ＣＰＵ７は、操作部９から供給された「再生初期番号」つまり保存番号をＣＰＵ７内に設けられた変数ｎに登録する。よって、ＣＰＵ７内に設けられた変数ｎは保存番号を示す。
【００８３】
ステップ２３では、ＣＰＵ７は、ステップ２１で受け付けた「再生設定」とステップ２２で受け付けた「再生初期番号」とに基づいて、画像処理部３を動作させる。
【００８４】
具体的には、ＣＰＵ７は、ステップ２１で「再生設定」が受け付けられていると、変数ｎが示している保存番号を画像処理部３に供給する。画像処理部３は、ＣＰＵ７から供給された保存番号が付与されている静止画像情報をＲＡＭ４から読み取る。つまり、ＣＰＵ７は、ＣＰＵ７から供給された保存番号が付与されている静止画像情報を、ＲＡＭ４から画像処理部３へ転送させる。
【００８５】
画像処理部３は、ＲＡＭ４から読み取った静止画像情報に所定の画像処理（例えば、伸長処理）を施し、その画像処理を施した静止画像情報を周波数変換部５に供給する。
【００８６】
また、ステップ２３では、ＣＰＵ７は、画像処理部３に画像情報の出力を実行させた後、ＣＰＵ７が有する内部タイマを動作させる。
【００８７】
ステップ２４では、周波数変換部５は、画像処理部３から供給された静止画像情報の周波数を、ＣＰＵ７の制御に基づいて、出力端子１１に接続されている表示用装置に応じた周波数に変更する。Ｄ／Ａ変換部６は、周波数変換部５の出力をアナログ信号に変換し、アナログ信号に変換した周波数変換部５の出力を出力端子１１を介して表示用装置に供給する。
【００８８】
ステップ２５では、ＣＰＵ７は、ステップ２３においてＲＡＭ４に保存されている静止画を画像処理部３に転送させた後、操作部９によって受け付けられるユーザの入力を待つ。
【００８９】
ステップ２５でＣＰＵ７が行う待ち動作は、ＣＰＵ７が、ユーザ（例えば、プレゼンテーション実行者である説明者）によって入力される、画像出力の終了（強制終了）、画像出力の一時停止、画像出力の一時停止解除、画像出力の再生方向（正転または逆転）といった画像出力動作を指定する旨の入力を操作部９を介して受け付けるための動作である。
【００９０】
なお、ステップ２１で静止画像出力指示情報を受け付けた場合には、ＣＰＵ７は、ステップ２５では、画像出力の一時停止、画像出力の一時停止解除および画像出力の再生方向の入力を受け付けない。また、ＣＰＵ７は、ステップ２５で、画像出力の再生方向の入力を受け付けた際、ステップ２１で受け付けた画像出力の再生方向をステップ２５で受け付けた画像出力の再生方向に変更する。
【００９１】
ＣＰＵ７は、ステップ２５で操作部９を介してユーザからの入力を受け付けると、ステップ２６の処理を実行する。また、ＣＰＵ７は、ステップ２５で操作部９を介してユーザからの入力を受け付けなかった場合、ステップ２７の処理を実行する。
【００９２】
ステップ２６では、ＣＰＵ７は、ステップ２５で受け付けたユーザの入力をＣＰＵ７の内部に格納する入力処理を実行する。ＣＰＵ７は、ステップ２６の処理を終了すると、ステップ２８の処理を実行する。
【００９３】
ステップ２８では、ＣＰＵ７は、ステップ２６で自己の内部に格納したユーザの入力が画像出力の終了（強制終了）である場合、画像処理部３からの画像情報の出力を停止させ、動作を終了する。また、ステップ２８では、ＣＰＵ７は、ステップ２６で格納したユーザの入力が画像出力の終了（強制終了）でない場合、ステップ２７の処理を実行する。
【００９４】
ステップ２７では、ＣＰＵ７は、ステップ２６で自己の内部に格納したユーザの入力が画像出力の一時停止である場合、ステップ２５の処理を実行する。なお、画像出力の一時停止は、ステップ２５で画像出力の一時停止解除が受け付けられるまで継続される。ステップ２７では、ＣＰＵ７は、ステップ２６で自己の内部に格納したユーザの入力が画像出力の一時停止でない場合、ステップ２９の処理を実行する。
【００９５】
ステップ２９では、ＣＰＵ７は、ステップ２３を実行した際に動作させた内部タイマの値がステップ２１で設定された再生間隔以上になったか確認する。なお、ステップ２１で静止画像出力指示情報が受け付けられた際には、ＣＰＵ７は、再生間隔を非常に長い時間（例えば、３時間）に自動的に設定する。
【００９６】
ステップ２９で、ステップ２３を実行した際に動作させた内部タイマの値がステップ２１で設定された再生間隔よりも小さい場合、ＣＰＵ７は、ステップ２５の処理を実行する。また、ステップ２９で、ステップ２３を実行した際に動作させた内部タイマの値がステップ２１で設定された再生間隔以上の場合、ＣＰＵ７は、ステップ３０の処理を実行する。
【００９７】
ステップ３０では、ＣＰＵ７は、ステップ２６で再生方向が変更されていなければステップ２１で受け付けた再生方向が正転であるか判断し、また、ステップ２６で再生方向が変更されていればその変更後の再生方向が正転であるか判断する。なお、ステップ２１で静止画像出力指示情報が受け付けられた際には、ＣＰＵ７は、再生方向を正転または逆転のいずれか一方に自動的に設定する。
【００９８】
ＣＰＵ７は、ステップ３０で再生方向が正転であると判断すると、ステップ３１の処理を実行する。また、ＣＰＵ７は、ステップ３０で再生方向が正転ではない（逆転）であると、ステップ３２の処理を実行する。
【００９９】
ステップ３１では、ＣＰＵ７は、変数ｎの値を現在の変数ｎの値よりも１だけ小さい値に変更する。換言すると、ＣＰＵ７は、変数ｎによって示される保存番号を１だけ小さくする。なお、ステップ３１が実行される直前の段階で、変数ｎが最も小さい数の保存番号を示している場合、ステップ３１で、ＣＰＵ７は、変数ｎを最も大きい数の保存番号に変更する。ＣＰＵ７は、ステップ３１の処理を実行した後、ステップ３３の処理を実行する。
【０１００】
ステップ３２では、ＣＰＵ７は、変数ｎの値を現在の変数ｎの値よりも１だけ大きい値に変更する。換言すると、ＣＰＵ７は、変数ｎによって示される保存番号を１だけ大きくする。なお、ステップ３２が実行される直前の段階で、変数ｎが最も大きい数の保存番号を示している場合、ステップ３２で、ＣＰＵ７は、変数ｎを最も小さい数の保存番号に変更する。ＣＰＵ７は、ステップ３２の処理を実行した後、ステップ３３の処理を実行する。
【０１０１】
ステップ３３では、ＣＰＵ７は、ステップ２１で受け付けた再生設定が連続再生（具体的には、連続出力指示情報または繰り返し出力指示情報）であるか判断する。
【０１０２】
ＣＰＵ７は、ステップ２１で受け付けた再生設定が連続再生でなければ、画像処理部３からの画像情報の出力を停止させ、動作を終了する。また、ＣＰＵ７は、ステップ２１で受け付けた再生設定が連続再生である場合、ステップ３４の処理を実行する。
【０１０３】
ステップ３４では、ＣＰＵ７は、ＲＡＭ４に格納されているすべての静止画像情報が画像処理部３に転送されたか判断する。例えば、ＣＰＵ７は、変数ｎの値が、ステップ２２で受け付けられた番号と一致していれば、ＲＡＭ４に格納されているすべての静止画像情報が画像処理部３に転送されたと判断し、変数ｎの値が、ステップ２２で受け付けられた番号と一致していない場合、ＲＡＭ４に格納されているすべての静止画像情報が画像処理部３に転送されていないと判断する。
【０１０４】
ステップ３４で、ＣＰＵ７は、ＲＡＭ４に格納されているすべての静止画像情報が画像処理部３に転送されていないと判断した際には、ステップ２３の処理を実行する。また、ステップ３４で、ＣＰＵ７は、ＲＡＭ４に格納されているすべての静止画像情報が画像処理部３に転送されたと判断した際には、ステップ３５の処理を実行する。
【０１０５】
ステップ３５では、ＣＰＵ７は、ステップ２１で繰り返し出力指示情報が受け付けられたか否かを判断する。ステップ２１で繰り返し出力指示情報が受け付けられていない場合、ＣＰＵ７は、画像処理部３からの画像信号の出力を停止させ、動作を終了する。また、ステップ３５で、ステップ２１で繰り返し出力指示情報が受け付けられていた場合、ＣＰＵ７は、ステップ２３の処理を実行する。
【０１０６】
ここで、ＲＡＭ４に２４枚の静止画面、換言すると、ＲＡＭ４に保存番号１から保存番号２４のいずれかが付与された２４個の静止画像情報が保存されている場合の連続再生動作を説明する。
【０１０７】
例えば、ステップ２１で連続出力指示情報と正転再生方向（保存番号の昇順）とが操作部９によって受け付けられ、ステップ２２で「再生初期番号」として１が操作部９によって受け付けられた場合、ＲＡＭ４から保存番号１、２、３、・・・、２４の順に静止画像情報が読み取られ、読み取られた静止画像情報が連続的に出力端子１１から出力される。
【０１０８】
また、例えば、ステップ２１で連続出力指示情報と逆転再生方向（保存番号の降順）とが操作部９によって受け付けられ、ステップ２２で「再生初期番号」として２４が操作部９によって受け付けられた場合、ＲＡＭ４から保存番号２４、２３、・・・、２、１の順に静止画像情報が読み取られ、読み取られた静止画像情報が連続的に出力端子１１から出力される。
【０１０９】
また、例えば、ステップ２１で繰り返し出力指示情報と正転再生方向（保存番号の昇順）とが操作部９によって受け付けられ、ステップ２２で「再生初期番号」として１が操作部９によって受け付けられた場合、ＲＡＭ４から保存番号１、２、３、・・・、２４、１、２、３、・・・の順に静止画像情報が読み取られ、読み取られた静止画像情報が連続的に出力端子１１から出力される。
【０１１０】
また、例えば、ステップ２１で繰り返し出力指示情報と逆転再生方向（保存番号の降順）とが操作部９によって受け付けられ、ステップ２２で「再生初期番号」として２４が操作部９によって受け付けられた場合、ＲＡＭ４から保存番号２４、２３、・・・、２、１、２４、２３、・・・の順に静止画像情報が読み取られ、読み取られた静止画像情報が連続的に出力端子１１から出力される。
【０１１１】
なお、本実施例では、操作部９からの入力に基づいて再生動作を規定しているが、操作部９の代わりにリモコンからの入力に基づいて再生動作を規定してもよいし、操作部９と異なるインターフェースからされるコマンド入力に基づいて再生動作を規定してもよいし、ＲＯＭ８に再生動作を規定する情報を予め格納しておき、ＲＯＭ８に格納されている情報に基づいて再生動作を規定するようにしてもよい。
【０１１２】
また、例えば、昆虫等の資料１５の動きを示した動画像情報がＲＡＭ４に格納されている場合、操作部９は、ユーザによって入力される「再生設定」として、動画像出力指示情報および動画像繰り返し出力指示情報とを受け付ける。なお、本実施例での動画像は、上述したようなＲＡＭ４に格納されているが、これは他の装置から転送されたもの、あるいは資料配置面１２ａ上に昆虫などを配置し、実際に撮像したものがある。
【０１１３】
ＣＰＵ７は、操作部９によって動画像出力指示情報が受け付けられると、ＲＡＭ４に格納された動画像情報を１回だけ出力させる処理を画像処理部３に実行させる。また、ＣＰＵ７は、操作部９によって動画像繰り返し出力指示情報が受け付けられると、ＲＡＭ４に格納された動画像情報を繰り返し出力させる処理を画像処理部３に実行させる。よって、ＲＡＭ４に格納された動画像情報は、出力端子１１から出力される。
【０１１４】
本実施例によれば、ユーザによって入力された連続出力指示情報が受け付けられると、ＲＡＭ４に格納された複数の静止画像情報が連続的に出力され、また、ユーザによって入力された静止画像出力指示情報が受け付けられると、ＲＡＭ４に格納された複数の静止画像情報の所望の１つが出力される。このため、ユーザは、プレゼンテーションの説明手順に応じて、ＲＡＭ４に格納された複数の静止画像情報が連続的に出力されるように、または、ＲＡＭ４に格納された複数の静止画像情報の中の所望の１つが出力されるように設定することが可能になる。
【０１１５】
したがって、ユーザは、例えば、ＲＡＭ４に格納されている複数枚の静止画を連続的に切り換えて表示用装置に表示させる場合、静止画を１枚ずつ切り換える操作を行う必要がなくなる。よって、ユーザによって実施されるプレゼンテーションを円滑に行わせることが可能となる。
【０１１６】
例えば、ＣＣＤ撮像部１が立体物等の資料１５を撮像することによって、資料１５の正面を示した画像と、資料１５の左側面を示した画像と、資料１５の後面を示した画像と、資料１５の右側面を示した画像と、資料１５の正面を示した画像とからなる３６０度の分解静止画像を生成し、それらの画像を予めＲＡＭ４に格納しておけば、ユーザは連続出力指示情報を入力することによって、それら複数の画像を連続的に出力させることが可能となる。よって、ユーザは、スムーズにプレゼンテーションを行うことが可能になり、資料１５について理解しされやすいプレゼンテーションを行うことができる。
【０１１７】
また、ユーザによって入力された繰り返し出力指示情報が受け付けられると、ＲＡＭ４に格納された複数の静止画像情報が繰り返して出力される。このため、ユーザは、プレゼンテーションの説明手順に応じて、ＲＡＭ４に格納された複数の静止画像情報が繰り返して出力されるように設定することが可能になる。よって、静止画像を１画面単位で切り換える場合に比べて、ユーザによって実施されるプレゼンテーションを円滑に行わせることが可能となる。
【０１１８】
また、ユーザによって入力された動画像出力指示情報が受け付けられると、ＲＡＭ４に格納された動画像情報が１回だけ出力される。このため、ユーザは、プレゼンテーションの説明手順に応じて、ＲＡＭ４に格納された動画像情報が１回だけ出力されるように設定することが可能になる。また、ユーザによって入力された動画像繰り返し出力指示情報が受け付けられると、ＲＡＭ４に格納された動画像情報が繰り返して出力される。このため、ユーザは、プレゼンテーションの説明手順に応じて、ＲＡＭ４に格納された動画像情報が繰り返して出力されるように設定することが可能になる。
【０１１９】
したがって、例えば、昆虫等の動きを示した動画像情報がＲＡＭ４に格納されれば、昆虫の動きを示すことが可能になる。
【０１２０】
なお、画像処理部３は、ＣＣＤ撮像部１から出力された動画像情報に応じた画像と、ＲＡＭ４に格納された画像情報（例えば、静止画像情報または動画像情報）に応じた画像とを、１つの画面に共存させた重ね合わせ画面を示した重ね合わせ画像情報を生成し、その重ね合わせ画像情報を出力するようにしてもよい。
【０１２１】
図３は、重ね合わせ画面の一例を示した説明図である。
【０１２２】
図３において、重ね合わせ画面４１は、メイン画面４１ａとサブ画面４１ｂとを含む。サブ画面４１ｂは、メイン画面４１ａの右下１／４の部分に配置される。なお、メイン画面４１ａとサブ画面４１ｂとは、上記に限らず適宜変更可能である。
【０１２３】
例えば、画像処理部３は、メイン画面４１ａにＣＣＤ撮像部１から出力された動画像情報に応じた画像が表示されかつサブ画面４１ｂにＲＡＭ４に格納された画像情報に応じた画像が表示されるような、重ね合わせ画像情報を生成する。
【０１２４】
なお、画像処理部３は、メイン画面４１ａにＲＡＭ４に格納された画像情報に応じた画像が表示されかつサブ画面４１ｂにＣＣＤ撮像部１から出力された動画像情報に応じた画像が表示されるような、重ね合わせ画像情報を生成してもよい。
【０１２５】
図４は、画像処理部３が、図３に示したような重ね合わせ画面を示した重ね合わせ画像情報を生成する動作を説明するためのフローチャートである。なお、図４において、図２に示した処理と同じ処理には同一符号を付してある。
【０１２６】
図４に示した処理の中で図２に示した処理と異なる部分は、画像処理部３が、ＲＡＭ４に格納されている画像情報の再生とＣＣＤ撮像部１から出力された動画像情報の再生を同時に行って、再生された画像同士を組み合わせる部分（具体的には、ステップ２３１とステップ２３２）である。以下、ステップ２３１とステップ２３２とを説明する。
【０１２７】
ステップ２３１では、ＣＣＤ撮像部１は、資料配置面１２ａ上の資料を撮像し、その撮像された資料１５を示した動画像情報をＡ／Ｄ変換器２を介して画像処理部３に出力する。
【０１２８】
ステップ２３２では、画像処理部３は、ＣＰＵ７によって指定された画像情報（例えば、静止画像情報または動画像情報）をＲＡＭ４から読み取る。画像処理部３は、ＲＡＭ４から読み取った画像情報に所定の画像処理（例えば、伸長処理）を施し、さらに、その画像情報の縦および横のサイズのぞれぞれを１／２倍のサイズに変更する。
【０１２９】
続いて、画像処理部３は、ＲＡＭ４から読み取った画像情報を、メイン画面の右下に埋め込むため、ＣＣＤ撮像部１から出力された動画像情報の右下１／４の部分のアドレスに、ＲＡＭ４から読み取りかつ縦および横のサイズのぞれぞれを１／２倍のサイズに変更した画像情報を上書きして、１枚の画像を示す重ね合わせ画像情報を生成する。なお、上記の２画面表示の技術は、既にテレビ等で使用されている公知の技術であるため、処理自体のアルゴリズムに関する説明は省略する。画像処理部３は、その生成した重ね合わせ画像情報を周波数変換部５に供給する。
【０１３０】
本実施例によれば、ＣＣＤ撮像部１から出力された動画像情報に応じた画像およびＲＡＭ４に格納された画像情報（例えば、静止画像情報に応じた画像または動画像情報に応じた画像）とを含む１枚の画像を示した重ね合わせ画像情報が生成され、その重ね合わせ画像情報が出力される。このため、１枚の画面に複数の画像が含まれ、効果的なプレゼンテーション画面を作成することが可能となる。
【０１３１】
この２画面表示の時にも、ＣＣＤ撮像部１から出力された動画像情報に応じた画像をメイン画面４１ａに表示しておき、あらかじめ、ＲＡＭ４に保存しておいた資料１５の３６０度の分解画像をメイン画面４１ａの右下のサブ画面４１ｂで連続再生することで、資料１５について理解しやすいプレゼンテーションを行うことができる。
【０１３２】
また、メモリスロット１０にメモリカード１４が装着された場合は、制御部１３が、ＲＡＭ４に保存されている画像情報をメモリスロット１０経由でメモリカード１４に転送して保存する。
【０１３３】
また、メモリカード１４に保存してある静止画像情報あるいは動画像情報を再生するには、制御部１３が、メモリカード１４に保存してある静止画像情報あるいは動画像情報をＲＡＭ４に転送し、転送した静止画像情報あるいは動画像情報をＲＡＭ４に保存する。メモリカード１４からＲＡＭ４に保存された静止画あるいは動画は、上記と同様な動作にて連続再生、１枚だけ再生、繰り返し再生を行うことができる。
【０１３４】
また、パソコン上で作成された静止画像情報、動画像情報または各種データ等の特定の情報が格納されているメモリカード１４がメモリスロット１０に接続された場合、ＣＰＵ７は、メモリカード１４上のデータの種類を判断した後、メモリカード１４からデータを読み出し、読み出したデータを資料提示装置１００で扱うことが可能なフォーマットに変更し、フォーマット変換されたデータを画像処理部３を介してＲＡＭ４に保存する。
【０１３５】
メモリカード１４からＲＡＭ４に保存されたデータは、上記と同様な動作にて連続再生、１枚だけ再生、繰り返し再生を行うことができる。なお、メモリカード１４上からＲＡＭ４へデータを転送する際に必要となるフォーマット変換は、パソコンなどで既に行われている公知技術なので、フォーマット変換の処理自体のアルゴリズムに関する説明は省略する。
【０１３６】
本実施例によれば、ＣＣＤ撮像部１によって出力された動画像情報およびその動画像情報に含まれる複数の静止画像情報がメモリスロット１０を介してメモリカード１４に格納され、そのメモリカード１４に格納された動画像情報および複数の静止画情報がメモリスロット１０を介してＲＡＭ４に格納される。このため、メモリスロット１０に着脱可能なメモリカード１４を用いた画像情報出力が可能となる。
【０１３７】
また、メモリスロット１０に装着されたメモリカード１４に格納されている特定の情報がメモリスロット１０を介してＲＡＭ４に格納され、ＲＡＭ４に格納された特定の情報が出力端子１１から出力される。このため、ＣＣＤ撮像部１によって出力された画像情報と異なる情報を出力することが可能となり、効果的なプレゼンテーション画面を作成することが可能となる。
【０１３８】
また、２画面表示機能を有する場合、資料１５と関連する画像（文章）等の特定のデータを、前もってメモリカード１４からＲＡＭ４に保存しておき、プレゼンテーション中に、特定のデータに応じた表示が被写体の表示画面の右下に表示されることで、資料１５と特定のデータに応じた表示とが同一の画面に表示され、より効果的なプレゼンテーションを行うことができる。
【０１３９】
以上説明した各実施例において、図示した構成は単なる一例であって、本発明はその構成に限定されるものではない。
【図面の簡単な説明】
【０１４０】
【図１】本発明の一実施例の資料提示装置を示したブロック図である。
【図２】図１に示した資料提示装置の動作を説明するためのフローチャートである。
【図３】重ね合わせ画面の一例を示した説明図である。
【図４】図１に示した資料提示装置の動作を説明するためのフローチャートである。
【符号の説明】
【０１４１】
１      ＣＣＤ撮像部
２      Ａ／Ｄ変換器
３      画像処理部
４      ＲＡＭ
５      周波数変換部
６      Ｄ／Ａ変換器
７      ＣＰＵ
８      ＲＯＭ
９      操作部
１０      メモリスロット
１１      出力端子
１２      資料配置台
１２ａ    資料配置面
１３      制御部
１４      メモリカード
１５      資料
【図１】
2005303346.tif 000003
【図２】
2005303346.tif 000004
【図３】
2005303346.tif 000005
【図４】
2005303346.tif 000006